(57)【要約】【課題】完成品に折り線画像が残ることを抑制する。【解決手段】インクジェット記録装置１は、画像形成部３、及び制御部６を備える。画像形成部３は、記録ヘッドユニット３４を備え、折り線を示す折り線画像Ｍ１を用紙Ｐに形成する。制御部６は、第１選択部６１及び指示部６３を備える。第１選択部６１は、折り線画像Ｍ１を「第１形態」で形成するか、又は、「第２形態」で形成するかを選択する。「第１形態」では、折り線画像Ｍ１を用紙Ｐに形成した第１時点から第１期間ＰＤ１経過後に折り線画像Ｍ１が消えるように折り線画像Ｍ１を形成する。「第２形態」では、第１時点から第２期間ＰＤ２経過しても消えないように折り線画像Ｍ１を形成する。第２期間ＰＤ２の長さは、第１期間ＰＤ１の長さより長い。指示部６３は、画像形成部３を介して、第１選択部６１の選択結果に応じて、用紙Ｐに折り線画像Ｍ１を形成する。【選択図】図３
2018176685.tif 000002
【特許請求の範囲】
【請求項１】
折り線を示す折り線画像を記録媒体に形成する画像形成部と、
前記折り線画像を前記記録媒体に形成した第１時点から第１期間経過後に前記折り線画像が消えるように前記折り線画像を形成するか、又は、前記第１時点から第２期間経過後も消えないように前記折り線画像を形成するかを選択する第１選択部と
を備え、
前記折り線は、前記記録媒体を折る位置及び折る向きを示し、
前記第２期間は、前記第１期間より長く、
前記画像形成部は、前記第１選択部の選択結果に応じて、前記記録媒体に前記折り線画像を形成する、画像形成装置。
【請求項２】
前記画像形成部は、折り順を示す折り順画像を、前記記録媒体に形成し、
前記折り順は、前記記録媒体を折る順番を示し、
前記第１選択部は、前記折り順画像を前記記録媒体に形成した第２時点から第３期間経過後に前記折り順画像が消えるように前記折り順画像を形成するか、又は、前記第２時点から第４期間経過後も消えないように前記折り順画像を形成するかを選択し、
前記第４期間は、前記第３期間より長く、
前記画像形成部は、前記第１選択部の選択結果に応じて、前記記録媒体に前記折り順画像を形成する、請求項１に記載の画像形成装置。
【請求項３】
前記画像形成装置は、インクジェット記録装置であって、
第１インクを噴射する第１記録ヘッドと、
第２インクを噴射する第２記録ヘッドと
を備え、
前記第１インクは、前記第１期間経過後に消色し、
前記第２インクは、前記第２期間経過まで消色せず、
前記画像形成部は、前記第１選択部の選択結果に応じて、前記第１記録ヘッド、及び前記第２記録ヘッドを切り換える、請求項１又は請求項２に記載の画像形成装置。
【請求項４】
前記画像形成部は、前記記録媒体に模様を示す模様画像を形成し、
前記模様画像を前記記録媒体に形成した第３時点から第５期間経過後に前記模様画像が発色するように前記模様画像を形成するか、又は、前記第３時点で発色しているように前記模様画像を形成するかを選択する第２選択部を更に備え、
前記画像形成部は、前記第２選択部の選択結果に応じて、前記記録媒体に前記模様画像を形成する、請求項１から請求項３のいずれか１項に記載の画像形成装置。
【請求項５】
前記画像形成装置は、インクジェット記録装置であって、
第１インクを噴射する第１記録ヘッドと、
第２インクを噴射する第２記録ヘッドと、
第３インクを噴射する第３記録ヘッドと
を備え、
前記第１インクは、前記第１期間経過後に消色し、
前記第２インクは、前記第２期間経過まで消色せず、
前記第３インクは、前記第５期間経過後に発色し、
前記画像形成部は、前記第１選択部の選択結果、及び前記第２選択部の選択結果に応じて、前記第１記録ヘッド、前記第２記録ヘッド及び前記第３記録ヘッドを切り換える、請求項４に記載の画像形成装置。
【請求項６】
前記折り線画像は、折紙又は包装紙の前記折り線を示し、
前記画像形成部は、前記折り線画像を、前記記録媒体に形成する、請求項１から請求項５のいずれか１項に記載の画像形成装置。
【請求項７】
前記折紙又は前記包装紙の画像を読み取る画像読取部と、
前記折紙又は前記包装紙の画像と、折りを戻した回数とを対応付けて記憶する画像記憶部と
を更に備え、
前記画像読取部は、前記折紙又は前記包装紙の折りが完成した状態から折りを１箇所ずつ戻す度に、前記折紙又は前記包装紙の画像を読み取る、請求項６に記載の画像形成装置。
【発明の詳細な説明】
【技術分野】
【０００１】
本発明は、画像形成装置に関する。
【背景技術】
【０００２】
特許文献１に記載の折紙には、折り線画像と折り順画像とが印刷される。折り線画像は、折り位置及び折り方を示す。折り順画像は、折り線の折り順を示す。折り線画像は、同時に同一の折り方をする折り線が同一色に色分けされている。
【先行技術文献】
【特許文献】
【０００３】
【特許文献１】特開２００８−１１００６９号公報
【発明の概要】
【発明が解決しようとする課題】
【０００４】
しかしながら、特許文献１に記載の折紙では、完成品に折り線画像又は折り順画像が残り、完成品の見栄えが良くない可能性がある。
【０００５】
本発明は、上記課題に鑑みてなされたものであり、完成品に折り線画像が残ることを抑制可能な画像形成装置を提供することを目的としている。
【課題を解決するための手段】
【０００６】
本発明の画像形成装置は、画像形成部、及び第１選択部を備える。前記画像形成部は、折り線を示す折り線画像を記録媒体に形成する。前記第１選択部は、前記折り線画像を前記記録媒体に形成した第１時点から第１期間経過後に前記折り線画像が消えるように前記折り線画像を形成するか、又は、前記第１時点から第２期間経過まで消えないように前記折り線画像を形成するかを選択する。前記折り線は、前記記録媒体を折る位置を示す。前記第２期間は、前記第１期間より長い。前記画像形成部は、前記第１選択部の選択結果に応じて、前記記録媒体に前記折り線画像を形成する。
【発明の効果】
【０００７】
本発明の画像形成装置によれば、完成品に折り線画像が残ることを抑制できる。
【図面の簡単な説明】
【０００８】
【図１】本実施形態に係るインクジェット記録装置の構成を示す図である。
【図２】本実施形態に係る画像形成部の構成を示す図である。
【図３】本実施形態に係る制御部の構成を示す図である。
【図４】（ａ）は、折紙の表面の折り線画像及び折り順画像の一例を示す図である。（ｂ）は、折紙の裏面の折り線画像、折り順画像及び模様画像の一例を示す図である。
【図５】（ａ）は、完成品の一例を示す斜視図である。（ｂ）は、完成品の一例を示す上面図である。
【図６】制御部の処理を示すフローチャートである。
【図７】制御部の図６に示す処理とは別の処理を示すフローチャートである。
【発明を実施するための形態】
【０００９】
以下、本発明の実施形態について、図面（図１〜図７）を参照しながら説明する。なお、図中、同一又は相当部分については同一の参照符号を付して説明を繰り返さない。
【００１０】
まず、図１及び図２を参照して、本実施形態に係るインクジェット記録装置１について説明する。図１は、インクジェット記録装置１の構成を示す図である。インクジェット記録装置１は、装置筐体１００、給送部２、画像形成部３、搬送路４、排出部５、制御部６、画像読取ユニット７及び、操作表示部８を備える。インクジェット記録装置１は、「画像形成装置」の一例に相当する。
【００１１】
給送部２は、装置筐体１００の内部の下方に配置される。給送部２は、用紙Ｐを搬送路４に給送する。用紙Ｐは、「記録媒体」の一例に相当する。
【００１２】
搬送路４は、画像形成部３の一方側（図１では右側）に配置される。搬送路４は、用紙Ｐを画像形成タイミングに合わせて画像形成部３に送出する。
【００１３】
画像形成部３は、給送部２の上方に配置される。画像形成部３は、用紙Ｐに画像を形成する。画像形成部３は、搬送ベルト３２、記録ヘッドユニット３４、及び搬送ガイド３６を備える。搬送ベルト３２は、用紙Ｐを搬送する。
【００１４】
排出部５は、画像形成部３の他方側（図１では左側）に配置される。排出部５は、用紙Ｐを、排出口１１を介して、装置筐体１００の外部に排出する。
【００１５】
制御部６は、インクジェット記録装置１を制御する。制御部６は、プロセッサー、及び記憶部を備える。プロセッサーは、例えばＣＰＵ（Ｃｅｎｔｒａｌ  Ｐｒｏｃｅｓｓｉｎｇ  Ｕｎｉｔ）を備える。記憶部は、半導体メモリーのようなメモリーを備え、ＨＤＤ（Ｈａｒｄ  Ｄｉｓｋ  Ｄｒｉｖｅ）を備えてもよい。記憶部は、制御プログラムを記憶している。
【００１６】
画像読取ユニット７は、原稿に形成された画像を読み取る。画像読取ユニット７は、画像読取部を備える。画像読取部は、ＬＥＤ（Ｌｉｇｈｔ  Ｅｍｉｔｔｉｎｇ  Ｄｉｏｄｅ）、コンタクトガラス、結像レンズ及びイメージセンサーを備え、これら各部材が一体化されたＣＩＳ（Ｃｏｎｔａｃｔ  Ｉｍａｇｅ  Ｓｅｎｓｏｒ）ユニットである。
【００１７】
操作表示部８は、タッチパネル８１を備える。タッチパネル８１は、例えば、ＬＣＤ（Ｌｉｑｕｉｄ  Ｃｒｙｓｔａｌ  Ｄｉｓｐｌａｙ）を備え、種々の画像を表示する。タッチパネル８１は、タッチセンサーを更に備え、ユーザーの操作を受け付ける。
【００１８】
次に、図２を参照して、インクジェット記録装置１について更に説明する。図２は、本実施形態に係る画像形成部３の構成を示す図である。図２に示すように、記録ヘッドユニット３４は、用紙Ｐに画像を形成する。記録ヘッドユニット３４は、第１記録ヘッド３４１、第２記録ヘッド３４２、及び第３記録ヘッド３４３を備える。
【００１９】
第１記録ヘッド３４１は、第１記録ヘッド３４１ａ、第１記録ヘッド３４１ｂ、第１記録ヘッド３４１ｃ、及び第１記録ヘッド３４１ｄを有する。第１記録ヘッド３４１ａ〜第１記録ヘッド３４１ｄは、用紙Ｐに画像を形成した時点から第１期間ＰＤ１経過後に消色する第１インクＫ１を噴射する。また、第１記録ヘッド３４１ａには、シアン色の第１インクＫ１ｃが収納される。第１記録ヘッド３４１ｂには、マゼンタ色の第１インクＫ１ｍが収納される。第１記録ヘッド３４１ｃには、イエロー色の第１インクＫ１ｙが収納される。第１記録ヘッド３４１ｄには、ブラック色の第１インクＫ１ｋが収納される。
【００２０】
第２記録ヘッド３４２は、第２記録ヘッド３４２ａ、第２記録ヘッド３４２ｂ、第２記録ヘッド３４２ｃ、及び第２記録ヘッド３４２ｄを有する。第２記録ヘッド３４２ａ〜第２記録ヘッド３４２ｄは、用紙Ｐに画像を形成した時点から第２期間ＰＤ２経過後にも消色しない第２インクＫ２を噴射する。第２インクＫ２としては、通常のインクを使用する。第２期間ＰＤ２の長さは、第１期間ＰＤ１の長さより長い。また、第２記録ヘッド３４２ａには、シアン色の第２インクＫ２ｃが収納される。第２記録ヘッド３４２ｂには、マゼンタ色の第２インクＫ２ｍが収納される。第２記録ヘッド３４２ｃには、イエロー色の第２インクＫ２ｙが収納される。第２記録ヘッド３４２ｄには、ブラック色の第２インクＫ２ｋが収納される。
【００２１】
第３記録ヘッド３４３は、第３記録ヘッド３４３ａ、第３記録ヘッド３４３ｂ、第３記録ヘッド３４３ｃ、及び第３記録ヘッド３４３ｄを有する。第３記録ヘッド３４３ａ〜第３記録ヘッド３４３ｄは、用紙Ｐに画像を形成した時点から第５期間ＰＤ５経過後に発色する第３インクＫ３を噴射する。第５期間ＰＤ５の長さは、第１期間ＰＤ１の長さと略同一である。また、第３記録ヘッド３４３ａには、シアン色の第３インクＫ３ｃが収納される。第３記録ヘッド３４３ｂには、マゼンタ色の第３インクＫ３ｍが収納される。第３記録ヘッド３４３ｃには、イエロー色の第３インクＫ３ｙが収納される。第３記録ヘッド３４３ｄには、ブラック色の第３インクＫ３ｋが収納される。
【００２２】
第１インクＫ１及び第３インクＫ３は、例えば、消色剤を含む。消色剤としては、例えば、包接性化合物のシクロデキストリン類を用いることで、消色性を得ることができる。第１インクＫ１及び第３インクＫ３は、消色剤を含むため、発色及び消色が可能である。
【００２３】
また、消色剤に好適な材料として、例えば、α−シクロデキストリン、β−シクロデキストリン、及びγ−シクロデキストリンヒドロキシプロピル−β−シクロデキストリンが挙げられる。更に、消色剤の成分及び含有量を調整することによって、第１期間ＰＤ１及び第５期間ＰＤ５を所望する期間に調整できる。
【００２４】
次に、図１〜図３を参照して、本実施形態に係る制御部６の構成について説明する。図３は、制御部６の構成を示す図である。図３に示すように、制御部６は、第１選択部６１、第２選択部６２、指示部６３、画像読取部６４、及び画像記憶部６５を備える。具体的には、プロセッサーが制御プログラムを実行することによって、第１選択部６１、第２選択部６２、指示部６３、画像読取部６４、及び画像記憶部６５として機能する。
【００２５】
第１選択部６１は、ユーザーからのタッチパネル８１による操作に基づいて、折り線画像Ｍ１を「第１形態」で形成するか、又は、「第２形態」で形成するかを選択する。折り線画像Ｍ１は、本実施形態では、折紙の折り線を示す。「折り線」は、用紙Ｐを「折る位置」、及び「折る向き」を示す。「折る向き」は、山折りか谷折りかを示す。例えば、山折りは破線で示し、谷折りは実線で示す。「第１形態」は、折り線画像Ｍ１を用紙Ｐに形成した第１時点から第１期間ＰＤ１経過後に折り線画像Ｍ１が消えるように形成する。「第２形態」は、第１時点から第２期間ＰＤ２経過した後も消色しないように折り線画像Ｍ１を形成する。第２期間ＰＤ２の長さは、第１期間ＰＤ１の長さより長い。具体的には、第１形態では、第１記録ヘッド３４１を用いて折り線画像Ｍ１を用紙Ｐに形成する。第２形態では、第２記録ヘッド３４２を用いて折り線画像Ｍ１を用紙Ｐに形成する。
【００２６】
また、第１選択部６１は、ユーザーからのタッチパネル８１による操作に基づいて、折り順画像Ｍ２を「第３形態」で形成するか、又は、「第４形態」で形成するかを選択する。「折り順」は、用紙Ｐを折る順番を示す。「第３形態」、及び「第４形態」については、図４を参照して具体的に説明する。
【００２７】
第２選択部６２は、ユーザーからのタッチパネル８１による操作に基づいて、模様画像Ｍ３を「第５形態」で形成するか、又は、「第６形態」で形成するかを選択する。「模様」は、美観を向上するために用紙Ｐに付与する。「第５形態」、及び「第６形態」については、図４を参照して具体的に説明する。
【００２８】
指示部６３は、第１選択部６１の選択結果に応じて、用紙Ｐに折り線画像Ｍ１及び折り順画像Ｍ２を形成する。また、指示部６３は、第２選択部６２の選択結果に応じて、用紙Ｐに模様画像Ｍ３を形成する。具体的には、指示部６３は、画像形成部３を介して、用紙Ｐに折り線画像Ｍ１、折り順画像Ｍ２及び模様画像Ｍ３を形成する。
【００２９】
また、指示部６３は、第１選択部６１の選択結果に応じて、画像形成部３を介して、第１記録ヘッド３４１及び第２記録ヘッド３４２を切り換える。また、指示部６３は、第２選択部６２の選択結果に応じて、画像形成部３を介して、第２記録ヘッド３４２及び第３記録ヘッド３４３を切り換える。
【００３０】
画像読取部６４は、折紙の画像Ｍ４を読み取る。具体的には、画像読取部６４は、折紙の折りが完成した状態から折りを１箇所ずつ戻す度に、折紙の画像Ｍ４を読み取る。
【００３１】
画像記憶部６５は、折紙の画像Ｍ４を示す情報と、折りを戻した回数Ｎを示す情報とを対応付けて記憶する。
【００３２】
以上、図１〜図３を参照して説明したように、本実施形態では、画像形成部３は、折り線を示す折り線画像Ｍ１を、用紙Ｐに形成する。折り線画像Ｍ１を第１形態で形成するように選択することによって、折り線画像Ｍ１を第１期間ＰＤ１経過後に消すことができる。したがって、折紙の完成品に折り線画像Ｍ１が残ることを抑制できる。
【００３３】
また、画像形成部３は、第１選択部６１の選択結果に応じて、第１記録ヘッド３４１、及び第２記録ヘッド３４２を切り換える。第１記録ヘッド３４１が噴射する第１インクＫ１は、第１期間ＰＤ１経過後に消色する。第２記録ヘッド３４２が噴射する第２インクＫ２は、第２期間ＰＤ２経過後にも消色しない。よって、第１記録ヘッド３４１で折り線画像Ｍ１を形成することによって、折り線画像Ｍ１を第１期間ＰＤ１経過後に消すことができる。
【００３４】
次に、図１〜図５を参照して、制御部６の構成について更に説明する。図４は、折紙の一例として、「イカ飛行機」の折り線画像Ｍ１及び折り順画像Ｍ２を示す。図４（ａ）は、折紙の表面９００の折り線画像Ｍ１及び折り順画像Ｍ２の一例を示す図である。図４（ｂ）は、折紙の裏面９１０の折り線画像Ｍ１、折り順画像Ｍ２及び模様画像Ｍ３の一例を示す図である。
【００３５】
図４（ａ）に示すように、表面９００には、折り線画像Ｍ１として、折り線画像９０１、折り線画像９０３、折り線画像９０５、及び折り線画像９０６が形成されている。折り線画像９０１、折り線画像９０３、折り線画像９０５、及び折り線画像９０６は、全て谷折りを示す。また、表面９００には、折り順画像Ｍ２として、折り順画像９１１、折り順画像９１３、折り順画像９１５、及び折り順画像９１６が形成されている。折り順画像９１１、折り順画像９１３、折り順画像９１５、及び折り順画像９１６は、それぞれ、折り線画像９０１、折り線画像９０３、折り線画像９０５、及び折り線画像９０６が示す折り線に沿って折る順番を示す。
【００３６】
図４（ｂ）に示すように、裏面９１０には、折り線画像Ｍ１として、折り線画像９０２、折り線画像９０４、折り線画像９０６、折り線画像９０７、及び折り線画像９０８が形成されている。折り線画像９０２、折り線画像９０４、折り線画像９０６、折り線画像９０７、及び折り線画像９０８は、全て谷折りを示す。また、裏面９１０には、折り順画像Ｍ２として、折り順画像９１２、折り順画像９１４、折り順画像９１６、折り順画像９１７、及び折り順画像９１８が形成されている。折り順画像９１２、折り順画像９１４、折り順画像９１６、折り順画像９１７、及び折り順画像９１８は、それぞれ、折り線画像９０２、折り線画像９０４、折り線画像９０６、折り線画像９０７、及び折り線画像９０８が示す折り線に沿って折る順番を示す。更に、裏面９１０には、模様画像Ｍ３として、模様画像９２１、模様画像９２２、模様画像９２３、模様画像９２４、模様画像９２５、及び模様画像９２６が形成されている。模様画像９２１〜模様画像９２６は、用紙Ｐに形成した時点では発色していないため、破線で示している。
【００３７】
模様画像９２１は、折り線画像９０４と交差している。また、模様画像９２４は、折り線画像９０２と交差している。よって、模様画像９２１及び模様画像９２４が形成されている場合には、折り線画像９０４及び折り線画像９０２が見難くなる。一方、本実施形態では、後述するように、第２選択部６２が模様画像Ｍ３を「第５形態」で形成するよう選択することによって、第３時点から第５期間ＰＤ５経過後に発色するように模様画像Ｍ３を形成できる。したがって、模様画像９２１及び模様画像９２４によって折り線画像９０４及び折り線画像９０２が見難くなることを抑制できる。
【００３８】
第１選択部６１は、折り順画像Ｍ２を「第３形態」で形成するか、又は、「第４形態」で形成するかを選択する。「第３形態」は、折り順画像Ｍ２を用紙Ｐに形成した第２時点から第３期間ＰＤ３経過後に折り順画像Ｍ２が消えるように形成する。「第４形態」は、第２時点から第４期間ＰＤ４経過した後も消えないように折り順画像Ｍ２を形成する。第４期間ＰＤ４の長さは、第３期間ＰＤ３の長さより長い。本実施形態では、第３期間ＰＤ３の長さは、第１期間ＰＤ１の長さと同一であり、第４期間ＰＤ４の長さは、第２期間ＰＤ２の長さと同一である。具体的には、「第３形態」では、第１記録ヘッド３４１を用いて折り順画像Ｍ２を用紙Ｐに形成する。「第４形態」では、第２記録ヘッド３４２を用いて折り順画像Ｍ２を用紙Ｐに形成する。
【００３９】
第２選択部６２は、模様画像Ｍ３を「第５形態」で形成するか、又は、「第６形態」で形成するかを選択する。「第５形態」は、模様画像Ｍ３を用紙Ｐに形成した第３時点から第５期間ＰＤ５経過後に模様画像Ｍ３が発色するように模様画像Ｍ３を形成する。「第６形態」では、第３時点で発色しているように模様画像Ｍ３を形成する。具体的には、「第５形態」では、第３記録ヘッド３４３を用いて模様画像Ｍ３を用紙Ｐに形成する。「第６形態」では、第２記録ヘッド３４２を用いて模様画像Ｍ３を用紙Ｐに形成する。
【００４０】
指示部６３は、第１選択部６１の選択結果、及び第２選択部６２の選択結果に応じて、画像形成部３を介して、第１記録ヘッド３４１、第２記録ヘッド３４２及び第３記録ヘッド３４３を切り換える。
【００４１】
図５（ａ）は、完成品９３０の一例を示す下面斜視図である。図５（ｂ）は、完成品９３０の一例を示す上面図である。
【００４２】
図５（ａ）及び図５（ｂ）に示すように、完成品９３０には、模様画像９２１、模様画像９２２、模様画像９２３、模様画像９２４、模様画像９２５、及び模様画像９２６が形成されている。なお、用紙Ｐに形成した第３時点から第５期間ＰＤ５経過後に模様画像Ｍ３が発色するため、模様画像９２１〜模様画像９２６は、実線で示している。
【００４３】
また、図５（ｂ）に示すように、完成品９３０の上面図では、折り線画像Ｍ１及び折り順画像Ｍ２が全く無いが、図５（ａ）に示すように、完成品９３０の下面斜視図では折り線画像９０８及び折り順画像９１８が記載されている。このように、完成品９３０に折り線画像Ｍ１又は折り順画像Ｍ２が残る場合には、完成品９３０の見栄えが良くない。一方、本実施形態では、第１選択部６１が、折り線画像Ｍ１を「第１形態」で形成するように選択することによって、折り線画像Ｍ１を、第１時点から第１期間ＰＤ１経過後に消えるように折り線画像Ｍ１を形成できる。また、折り順画像Ｍ２を「第３形態」で形成するように選択することによって、第２時点から第３期間ＰＤ３経過後に消えるように折り順画像Ｍ２を形成できる。したがって、完成品９３０に折り線画像Ｍ１又は折り順画像Ｍ２が残らないため、完成品９３０の見栄えを向上できる。
【００４４】
以上、図１〜図５を参照して説明したように、本実施形態では、画像形成部３は、折り順を示す折り順画像Ｍ２を用紙Ｐに形成する。折り順画像Ｍ２を用紙Ｐに形成した第２時点から第３期間ＰＤ３経過後に折り順画像Ｍ２が消えるように折り順画像Ｍ２を形成するということを選択することによって、折り順画像Ｍ２を第３期間ＰＤ３経過後に消すことができる。したがって、折紙の完成品に折り順画像Ｍ２が残ることを抑制できる。
【００４５】
また、第１記録ヘッド３４１が噴射する第１インクＫ１は、第１期間ＰＤ１経過後に消色する。よって、第１記録ヘッド３４１で折り順画像Ｍ２を形成することによって、折り順画像Ｍ２を第１期間ＰＤ１経過後に消すことができる。
【００４６】
更に、用紙Ｐに形成した第３時点から第５期間ＰＤ５経過後に模様画像Ｍ３が発色するように模様画像Ｍ３を形成するように選択することによって、模様画像Ｍ３を第５期間ＰＤ５経過後に発色させることができる。よって、第５期間ＰＤ５を、折りの作業に要する時間（例えば、１０分）以上とすれば、折り作業中に模様画像Ｍ３が発色することはない。したがって、折り作業中に模様画像Ｍ３が発色し、折り線画像Ｍ１又は折り順画像Ｍ２が見難くなることを抑制できる。また、模様画像Ｍ３を第５期間ＰＤ５経過後に発色するため、ユーザーに驚き及び楽しみを与えることができる。
【００４７】
また、第３記録ヘッド３４３が噴射する第３インクＫ３は、第５期間ＰＤ５経過後に発色する。よって、第３記録ヘッド３４３で模様画像Ｍ３を形成することによって、模様画像Ｍ３を第５期間ＰＤ５経過後に発色することができる。
【００４８】
次に、図１〜図６を参照して、制御部６の処理について説明する。図６は、制御部６の処理を示すフローチャートである。
まず、ステップＳ１０１において、第１選択部６１は、ユーザーからのタッチパネル８１による操作に基づいて、折り線画像Ｍ１を用紙Ｐに形成した第１時点から第１期間ＰＤ１経過後に折り線画像Ｍ１が消えるように形成するか否かを受け付ける。
第１期間ＰＤ１経過後に折り線画像Ｍ１が消えるようには形成しないということを第１選択部６１が受け付けた場合（ステップＳ１０１でＮＯ、例えば、第２形態の場合）には、処理がステップＳ１０５に進む。第１期間ＰＤ１経過後に折り線画像Ｍ１が消えるように形成するということを第１選択部６１が受け付けた場合（ステップＳ１０１でＹＥＳ、例えば第１形態の場合）には、処理がステップＳ１０３に進む。
そして、ステップＳ１０３において、第１選択部６１は、折り線画像Ｍ１を第１インクＫ１で形成するように選択し、処理がステップＳ１０７に進む。
ステップＳ１０１でＮＯの場合には、ステップＳ１０５において、第１選択部６１は、折り線画像Ｍ１を第２インクＫ２で形成するように選択し、処理がステップＳ１０７に進む。
【００４９】
そして、ステップＳ１０７において、第１選択部６１は、ユーザーからのタッチパネル８１による操作に基づいて、折り順画像Ｍ２を用紙Ｐに形成した第２時点から第３期間ＰＤ３経過後に折り順画像Ｍ２が消えるように形成するか否かを受け付ける。
第３期間ＰＤ３経過後に折り順画像Ｍ２が消えるようには形成しないということを第１選択部６１が受け付けた場合（ステップＳ１０７でＮＯ、例えば、「第４形態」の場合）には、処理がステップＳ１１１に進む。第３期間ＰＤ３経過後に折り順画像Ｍ２が消えるように形成するということを第１選択部６１が受け付けた場合（ステップＳ１０７でＹＥＳ、例えば第３形態の場合）には、処理がステップＳ１０９に進む。
そして、ステップＳ１０９において、第１選択部６１は、折り順画像Ｍ２を第１インクＫ１で形成するように選択し、処理がステップＳ１１３に進む。
ステップＳ１０７でＮＯの場合には、ステップＳ１１１において、第１選択部６１は、折り順画像Ｍ２を第２インクＫ２で形成するように選択し、処理がステップＳ１１３に進む。
【００５０】
そして、ステップＳ１１３において、第２選択部６２は、ユーザーからのタッチパネル８１による操作に基づいて、模様画像Ｍ３を用紙Ｐに形成した第３時点から第５期間ＰＤ５経過後に発色するように形成するか否かを受け付ける。
第３時点で模様画像Ｍ３が発色しているように形成すること（すなわち、例えば、最初から発色させておくこと）を第２選択部６２が受け付けた場合（ステップＳ１１３でＮＯ、例えば第６形態の場合）には、処理がステップＳ１１７に進む。第５期間ＰＤ５経過後に模様画像Ｍ３が発色するように形成するということを第２選択部６２が受け付けた場合（ステップＳ１１３でＹＥＳ、例えば第５形態の場合）には、処理がステップＳ１１５に進む。
そして、ステップＳ１１５において、第２選択部６２は、模様画像Ｍ３を第３インクＫ３で形成するように選択し、処理がステップＳ１１９に進む。
ステップＳ１１３でＮＯの場合には、ステップＳ１１７において、第２選択部６２は、模様画像Ｍ３を第２インクＫ２で形成するように選択し、処理がステップＳ１１７に進む。
【００５１】
そして、ステップＳ１１９において、指示部６３は、ユーザーからのタッチパネル８１による操作に基づいて、折り線画像Ｍ１、折り順画像Ｍ２、及び模様画像Ｍ３を用紙Ｐに形成するか否かを判定する。
折り線画像Ｍ１、折り順画像Ｍ２、及び模様画像Ｍ３を用紙Ｐに形成するということを指示部６３が判定しない場合（ステップＳ１１９でＮＯ）には、処理がステップＳ１０１に戻る。折り線画像Ｍ１、折り順画像Ｍ２、及び模様画像Ｍ３を用紙Ｐに形成するということを指示部６３が判定した場合（ステップＳ１１９でＹＥＳ）には、処理がステップＳ１２１に進む。
そして、ステップＳ１２１において、指示部６３は、画像形成部３を介して、折り線画像Ｍ１、折り順画像Ｍ２、及び模様画像Ｍ３を用紙Ｐに形成し、処理が終了する。
【００５２】
以上、図１〜図６を参照して説明したように、本実施形態では、指示部６３は、第１選択部６１の選択結果、及び第２選択部６２の選択結果に応じて、第１記録ヘッド３４１、第２記録ヘッド３４２及び第３記録ヘッド３４３を切り換える。第１記録ヘッド３４１が噴射する第１インクＫ１は、第１期間ＰＤ１経過後に消色する。第２記録ヘッド３４２が噴射する第２インクＫ２は、画像を形成した時点から発色しており、且つ、第２期間ＰＤ２経過後も消色しない。第３記録ヘッド３４３が噴射する第３インクＫ３は、第５期間ＰＤ５経過後に発色する。
【００５３】
よって、折り線画像Ｍ１、及び折り順画像Ｍ２を、第１期間ＰＤ１経過後に消色するように用紙Ｐに形成することができ、模様画像Ｍ３を第５期間ＰＤ５経過後に発色するように用紙Ｐに形成することができる。
【００５４】
次に、図１〜図７を参照して、制御部６の処理について更に説明する。図７は、制御部６の図６に示す処理とは別の処理を示すフローチャートである。なお、初期状態において、折紙は完成品の状態にある。また、初期状態において、スキャン回数Ｎは零（ゼロ）に設定されている。
まず、ステップＳ２０１において、画像読取部６４が、折りを１箇所戻してスキャンする旨をタッチパネル８１に表示する。具体的には、例えば、画像読取部６４が、「折りを１箇所戻してスキャンして下さい。」とのメッセージをタッチパネル８１に表示する。
次に、ステップＳ２０３において、画像読取部６４が、スキャンボタンが押下されたか否かを判定する。「スキャンボタン」は、操作表示部８に配置される。「スキャンボタン」は、ユーザーが画像読取ユニット７に対して画像を読み取る旨の指示をする場合に押下される。
スキャンボタンが押下されていないと画像読取部６４が判定した場合（ステップＳ２０３でＮＯ）には、処理が待機状態になる。スキャンボタンが押下されたと画像読取部６４が判定した場合（ステップＳ２０３でＹＥＳ）には、処理がステップＳ２０５に進む。
そして、ステップＳ２０５において、画像読取部６４が、スキャン回数Ｎを１だけインクリメントする。
【００５５】
次に、ステップＳ２０７において、画像読取部６４が、スキャンを実行する。具体的には、画像読取部６４が、画像読取ユニット７を介して、折紙の画像を読み取り、折紙の画像Ｍ４を生成する。
そして、画像読取部６４が、画像記憶部６５に、スキャン回数Ｎを示す情報と対応付けて、折紙の画像Ｍ４を示す情報を記憶する。
次に、画像読取部６４が、ユーザーからのタッチパネル８１による操作に基づいて、折紙の折りを全て戻したか否かの判定を行う。
折紙の折りを全て戻していないと画像読取部６４が判定した場合（ステップＳ２１１でＮＯ）には、処理がステップＳ２０１に戻る。折紙の折りを全て戻したと画像読取部６４が判定した場合（ステップＳ２１１でＹＥＳ）には、処理が終了する。
【００５６】
以上、図１〜図７を参照して説明したように、本実施形態では、画像読取部６４は、折紙の折りが完成した状態から折りを１箇所ずつ戻す度に、折紙の画像Ｍ４を読み取る。画像記憶部６５は、折紙の画像Ｍ４を示す情報と、折りを戻した回数Ｎを示す情報とを対応付けて記憶する。折りを戻した回数Ｎは、スキャン回数Ｎを示す。したがって、折りを戻した回数Ｎを示す情報と折紙の画像Ｍ４を示す情報とを対応付けて記憶するため、折紙の折り方を示すデータを記憶できる。
【００５７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５８】
（１）本実施形態では、図１及び図２を参照して説明したように、画像形成装置がインクジェット記録装置１であるが、本発明はこれに限定されない。画像形成装置が記録媒体に画像を形成する形態であればよい。例えば、画像形成装置が電子写真方式で記録媒体に画像を形成する形態でもよい。この形態では、トナーに消色剤を添加する。
【００５９】
（２）本実施形態では、図１及び図２を参照して説明したように、記録ヘッドユニット３４が第１記録ヘッド３４１、第２記録ヘッド３４２及び第３記録ヘッド３４３を備えるが、本発明はこれに限定されない。記録ヘッドユニット３４が少なくとも第１インクＫ１及び第２インクＫ２を切り換え可能に構成されていればよい。例えば、記録ヘッドユニット３４が第１インクＫ１を収納したインクカートリッジと、第２インクＫ２を収納したインクカートリッジを着脱自在に構成される形態でもよい。
【００６０】
（３）本実施形態では、図１及び図２を参照して説明したように、記録ヘッドユニット３４が第１記録ヘッド３４１、第２記録ヘッド３４２及び第３記録ヘッド３４３を備えるが、本発明はこれに限定されない。記録ヘッドユニット３４が少なくとも第２インクＫ２及び第３インクＫ３を切り換え可能に構成されていればよい。例えば、記録ヘッドユニット３４が第２インクＫ２を収納したインクカートリッジと、第３インクＫ３を収納したインクカートリッジとを着脱自在に構成される形態でもよい。
【００６１】
（４）本実施形態では、図１及び図２を参照して説明したように、第１記録ヘッド３４１が第１記録ヘッド３４１ａ〜第１記録ヘッド３４１ｄを備えるが、本発明はこれに限定されない。第１記録ヘッド３４１が少なくとも１つの記録ヘッドを備えればよい。例えば、第１記録ヘッド３４１が１つの記録ヘッドを備える形態でもよい。また、例えば、第１記録ヘッド３４１が、４個以上の記録ヘッドを備える形態でもよい。同様に、例えば、第２記録ヘッド３４２、第３記録ヘッド３４３、及び第４記録ヘッド３４４が、それぞれ、少なくとも１つの記録ヘッドを備えればよい。
【００６２】
（５）本実施形態では、図１〜図７を参照して説明したように、折り線画像Ｍ１、折り順画像Ｍ２及び模様画像Ｍ３が折紙に形成されるが、本発明はこれに限定されない。少なくとも折り線画像Ｍ１が、折紙又は包装紙に形成される形態であればよい。例えば、折り線画像Ｍ１及び模様画像Ｍ３が包装紙に形成される形態でもよい。
【産業上の利用可能性】
【００６３】
本発明は、画像形成装置に関するものであり、産業上の利用可能性を有する。
【符号の説明】
【００６４】
１    インクジェット記録装置（画像形成装置）
２    給送部
３    画像形成部
３１    搬送部
３２    搬送ベルト
３４    記録ヘッドユニット
３４１    第１記録ヘッド
３４１ａ、３４１ｂ、３４１ｃ、３４１ｄ    第１記録ヘッド
３４２    第２記録ヘッド
３４２ａ、３４２ｂ、３４２ｃ、３４２ｄ    第２記録ヘッド
３４３    第３記録ヘッド
３４３ａ、３４３ｂ、３４３ｃ、３４３ｄ    第３記録ヘッド
６    制御部
６１    第１選択部
６２    第２選択部
６３    指示部
６４    画像読取部
６５    画像記憶部
７    画像読取ユニット
８    操作表示部
８１    タッチパネル
【図１】
2018176685.tif 000003
【図２】
2018176685.tif 000004
【図３】
2018176685.tif 000005
【図４】
2018176685.tif 000006
【図５】
2018176685.tif 000007
【図６】
2018176685.tif 000008
【図７】
2018176685.tif 000009